(57)【要約】【課題】  一方のメモリに記録された画像データを消去しても、この消去した画像データの復元の可能なカメラを得ること。【解決手段】  画像データを記録するための複数の記憶媒体を有するカメラで、複数の記憶媒体のうち、一方の記憶媒体に記録されている画像データを削除する削除指示手段と、削除指示手段による指示に応じて、削除される画像データを他方の記憶媒体に転送し記録させてバックアップをおこなう制御手段と、を有するカメラとする。【選択図】        図５
2005311493.tif 000002
【特許請求の範囲】
【請求項１】
画像データを記録するための複数の記憶媒体を有するカメラにおいて、
前記複数の記憶媒体のうち、一方の記憶媒体に記録されている画像データを削除する削除指示手段と、前記削除指示手段による指示に応じて、前記削除される画像データを他方の記憶媒体に転送し記録させてバックアップをおこなう制御手段と、を有することを特徴とするカメラ。
【請求項２】
前記バックアップをおこなうモードと、バックアップをおこなわないモードを選択する選択手段を有することを特徴とする請求項１に記載のカメラ。
【請求項３】
前記バックアップをおこなうモードにおいて、バックアップ条件を選択するバックアップ条件選択手段を有することを特徴とする請求項１又は２に記載のカメラ。
【請求項４】
前記バックアップ条件は、圧縮率と画像サイズの少なくともいずれか一方を含むことを特徴とする請求項１〜３のいずれか１項に記載のカメラ。
【請求項５】
前記バックアップをおこなうモードにおいて、バックアップをおこなう記憶媒体が前記バックアップ条件を満足する容量を有しないとき、削除される画像データを記録した記憶媒体が、一時的にバックアップをおこなうことを特徴とする請求項１〜４のいずれか１項に記載のカメラ。
【請求項６】
前記バックアップをおこなうモードにおいて、バックアップをおこなう記憶媒体が前記バックアップ条件を満足する容量を有しないとき、バックアップをおこなう記憶媒体から古いバックアップファイルを削除して、容量を確保することを特徴とする請求項１〜５のいずれか１項に記載のカメラ。
【請求項７】
画像データを記録するための複数の記憶媒体を有するカメラにおいて、
前記複数の記憶媒体のうち、一方の記憶媒体に記録されている画像データを加工する画像加工手段を有し、
前記画像加工手段による画像データ加工時は、加工前の画像データの一部又は全部を他方の記憶媒体に転送し記録させてバックアップをおこなう制御手段と、を有することを特徴とするカメラ。
【請求項８】
前記カメラは、画像を表示する画像表示部を有し、加工前の画像と加工後の画像を同時に表示可能としたことを特徴とする請求項７に記載のカメラ。
【発明の詳細な説明】
【技術分野】
【０００１】
本発明は、撮影した画像を記憶媒体に記憶させるカメラに関し、特に複数の記憶媒体を使用可能なカメラに関するものである。
【背景技術】
【０００２】
従来より、撮影した画像データを記録する記憶媒体（以下、メモリとも称す）を複数備えたカメラが知られている。例えば、内蔵メモリとリムーバブルメモリに画像データを記憶可能に構成したカメラ、複数のリムーバブルメモリを挿入可能としたカメラがある。このようなカメラにおいては、複数のメモリの利用方法として種々の提案が成されている。
【０００３】
例えば複数の撮影記録用メモリを備え、撮影モードに対応して、予め決められた優先順位でメモリを選択して記録するカメラが開示されている（例えば、特許文献１参照）。
【０００４】
また、撮影記録用メモリ毎に圧縮率を設定し、画像信号を設定した圧縮率で圧縮した後、それぞれメモリに記録するカメラや、一方のメモリに、どのような画像が記録されたかの履歴情報を他方のメモリに記録するカメラが開示されている（例えば、特許文献２参照）。
【特許文献１】特開２００３−１３４３７７号公報
【特許文献２】特開２００３−１３４３６８号公報
【発明の開示】
【発明が解決しようとする課題】
【０００５】
このような、メモリに画像データを記録させるカメラにおいては、ユーザーはメモリ内に記録された画像や音声などのファイルが、気に入らないときや、不要になったときは、カメラ機能のうちの削除機能を用いて、消去することができるようになっている。
【０００６】
更に、近年では、カメラとプリンタとを直接的に接続し、記録した画像をプリントアウトする、所謂ダイレクトプリントが可能となっており、従来のように、パーソナルコンピュータに画像データを移動させ保存する方法は、必須のものではなくなってきている。
【０００７】
このような使用方法の変化に対し、従来のカメラに備えられた削除機能のみでは、画像選択を間違えたり、誤操作によって必要な画像を消去してしまった場合、もはや撮り直す以外に画像データの復元が不可能となってしまう問題が発生する。
【０００８】
上記の特許文献に記載の複数のメモリを備えたカメラでは、このような誤操作に対して上記の問題を解決することはできない。
【０００９】
本発明は上記問題に鑑み、複数の記憶媒体を有し、一方のメモリに記録された画像データを消去しても、この消去した画像データの復元の可能なカメラを得ることを目的とするものである。
【課題を解決するための手段】
【００１０】
上記の課題は、以下の様にすることで解決される。
【００１１】
１）  画像データを記録するための複数の記憶媒体を有するカメラにおいて、前記複数の記憶媒体のうち、一方の記憶媒体に記録されている画像データを削除する削除指示手段と、前記削除指示手段による指示に応じて、前記削除される画像データを他方の記憶媒体に転送し記録させてバックアップをおこなう制御手段と、を有することを特徴とするカメラ。
【００１２】
２）  前記バックアップをおこなうモードと、バックアップをおこなわないモードを選択する選択手段を有する１）のカメラ。
【００１３】
３）  前記バックアップをおこなうモードにおいて、バックアップ条件を選択するバックアップ条件選択手段を有する１）又は２）のカメラ。
【００１４】
４）  前記バックアップ条件は、圧縮率と画像サイズの少なくともいずれか一方を含む１）〜３）のいずれかのカメラ。
【００１５】
５）  前記バックアップをおこなうモードにおいて、バックアップをおこなう記憶媒体が前記バックアップ条件を満足する容量を有しないとき、削除される画像データを記録した記憶媒体が、一時的にバックアップをおこなう１）〜４）のいずれかのカメラ。
【００１６】
６）  前記バックアップをおこなうモードにおいて、バックアップをおこなう記憶媒体が前記バックアップ条件を満足する容量を有しないとき、バックアップをおこなう記憶媒体から古いバックアップファイルを削除して、容量を確保する１）〜５）のいずれかのカメラ。
【００１７】
７）  画像データを記録するための複数の記憶媒体を有するカメラにおいて、前記複数の記憶媒体のうち、一方の記憶媒体に記録されている画像データを加工する画像加工手段を有し、前記画像加工手段による画像データ加工時は、加工前の画像データの一部又は全部を他方の記憶媒体に転送し記録させてバックアップをおこなう制御手段と、を有することを特徴とするカメラ。
【００１８】
８）  前記カメラは、画像を表示する画像表示部を有し、加工前の画像と加工後の画像を同時に表示可能とした７）のカメラ。
【発明の効果】
【００１９】
上記の１）とすることにより、一方のメモリに記録した撮影時の画像データを、画像選択を間違えたり、誤操作によって消去してしまった場合でも、他方のメモリに保存したバックアップ画像データから、消去した画像データを復元可能なカメラを得ることができる。
【００２０】
上記の２）によれば、バックアップをおこなうモードと、バックアップをおこなわないモードを選択することにより、複数のメモリを、消去した画像データをバックアップ画像データにより復元可能とする使用方法と、容量全てを撮影画像の記録に用いるようにする使用方法を選択可能とでき、メモリの効率的使用ができる。
【００２１】
上記の３）によれば、バックアップをおこなうメモリ容量や使用者の要望に応じて、バックアップ条件を選択でき、利便性が向上する。
【００２２】
上記の４）によれば、同様に、バックアップをおこなうメモリ容量や使用者の要望に応じて、バックアップ条件を選択でき、利便性が向上する。
【００２３】
上記の５）によれば、バックアップをおこなうメモリが容量不足の時に、応急処置としてバックアップを可能とできる。
【００２４】
上記の６）によれば、バックアップをおこなうメモリが容量不足の時に、使用の可能性の低いバックアップ画像データを削除して、容量不足を解消することができる。
【００２５】
上記の７）とすることにより、一方のメモリに記録した撮影時の画像データを画像加工した場合でも、他方のメモリに保存したバックアップ画像データから、画像加工前の画像を復元可能なカメラを得ることができる。
【００２６】
上記の８）によれば、加工前後の画像が比較しやすく、使用者の記録しておくべき画像の決定が容易にできるようになる。
【発明を実施するための最良の形態】
【００２７】
以下、実施の形態により本発明を詳しく説明するが、本発明はこれに限定されるものではない。
【００２８】
図１は、本発明に係るデジタルカメラの外観の一例を示す図である。図１（ａ）はカメラ前面の斜視図、図１（ｂ）はカメラ背面の斜視図である。
【００２９】
図１（ａ）において、８１はズーム撮像光学系、８２はファインダ窓、８３はレリーズ釦、８４はフラッシュ発光部、８６は調光用センサ窓、８７はストラップ取り付け部、８８は外部入出力端子（例えば、ＵＳＢ端子）である。８９はレンズカバーであり、不使用時はズーム撮像光学系８１は沈胴する。
【００３０】
レリーズ釦８３はその１段の押し込みによりカメラの撮影準備動作、即ち焦点合わせ動作や測光動作が行われ、その２段の押し込みにより撮影露光動作が行われる。
【００３１】
図１（ｂ）において、９１はファインダ接眼部、９２は赤と緑の表示ランプであり、ＡＦやＡＥの情報を、点灯もしくは点滅により撮影者に表示するものである。９３はズーム釦であり、ズームアップ、ズームダウンをおこなう釦である。９５はメニュー／セット釦、９６は選択釦で４方向スイッチであり、１００は画像表示部であり画像やその他文字情報等を表示する。メニュー／セット釦９５で、画像表示部１００上に各種のメニューを表示させ、選択釦９６で選択し、メニュー／セット釦９５で確定させる機能を有している。９７は再生釦で、撮影した画像の再生をおこなう釦である。９８はディスプレイ釦で、画像表示部１００に表示された画像やその他文字情報の表示や消去を選択する釦である。９９は消去釦で、撮影記録した画像の消去をおこなう釦である。１０１は三脚穴、１０２は電池／カード蓋である。電池／カード蓋１０２の内部には、本カメラの電源を供給する電池と、撮影した画像を記録するカード用のスロットが複数個備えられており、画像を記録するカード型の記録用メモリが複数枚、挿脱可能になっている。
【００３２】
また、同図に示すカメラは、記録用メモリに記録された画像を加工する機能をそなえており、上述の各種操作部が、画像加工時には、上述と異なる機能を有する操作部となるよう設定されている。
【００３３】
図２は、図１に示すデジタルカメラの内部構成を示す概略ブロック図である。同図を用い、内部構成について説明する。なお、本発明は、撮像素子としてＣＣＤ（Ｃｈａｒｇｅ  Ｃｏｕｐｌｅｄ  Ｄｅｖｉｃｅ）型イメージセンサ、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が適用可能であるが、本例においては、撮像素子としてＣＣＤ型イメージセンサを用いたもので説明する。
【００３４】
同図において、４０は各回路を制御するＣＰＵである。ズーム撮像光学系８１は、レンズ部１、絞りシャッターユニット２、赤外光カットフィルタとオプチカルローパスフィルタを積層した光学フィルタ３、第１モータ４、第２モータ５及び絞りシャッタアクチュエータで構成されている。
【００３５】
レンズ部１は、より詳しくは複数のレンズを有するレンズ系として構成されており、これら複数のレンズの光軸上の位置を第１モータ４を駆動することにより移動させ、変倍がおこなわれるようになっている。また、これら複数のレンズの内、フォーカシングに用られるレンズは、第２モータ５により駆動され焦点調節がおこなわれる。更に、絞りシャッターユニットは絞りシャッタアクチュエータ６により開閉し、露光量の調定がなされる。この、第１モータ４、第２モータ５、絞りシャッタアクチュエータ６は、それぞれＣＰＵ４０からの制御信号により制御される第１モータ駆動回路７、第２モータ駆動回路８、絞りシャッタ駆動回路９を介して駆動される。
【００３６】
タイミングジェネレータ１０は、タイミング制御回路１１から送られるクロックに基づきＣＣＤ１２の駆動制御信号を生成するものであり、例えばＣＣＤ１２の電荷の蓄積開始と終了のタイミング信号、各画素の電荷蓄積量の読み出し制御信号（水平同期信号、垂直同期信号、転送信号）等のクロック信号を生成しＣＣＤ１２へ出力する。撮像回路１３は、ＣＣＤ１２により被写体光が光電変換され、例えば原色系のフィルタが用いられたＣＣＤの場合、Ｒ（赤）、Ｇ（緑）、Ｂ（青）の各色成分の画像アナログ信号を信号処理部１４へ出力する。
【００３７】
信号処理部１４は、撮像回路１３から出力された画像アナログ信号に信号処理を施すものである。信号処理部１４においては、相関二重サンプリング（ＣＤＳ）、オートゲインコントロール（ＡＧＣ）により画像アナログ信号のノイズ低減とゲイン調整をおこない画像処理部１５へ出力する。
【００３８】
画像処理部１５では、タイミング制御回路１１からのＡ／Ｄ変換用クロックに基づき、入力された画像アナログ信号をＡ／Ｄ変換し、デジタル信号（以下、画素データと称す）に変換する。次に、画素データの黒レベル補正をおこなった後、ホワイトバランス（ＷＢ）の調整がおこなわれる。ホワイトバランスの調整はＣＰＵ４０から入力される変換係数によりおこなわれる。この変換係数は撮影画像毎に設定されるものである。更に、γ補正をおこなった後、画素データを画像メモリ１６に出力する。画像メモリ１６は、画像処理部１５から出力された画素データを記憶するメモリである。
【００３９】
ＶＲＡＭ１７は、画像表示部１００で表示する画像のバッファメモリであり、少なくとも画像表示部１００の画素数と表示に必要なビット数の積算値以上の記憶容量を有している。画像表示部１００には、例えばＬＣＤ、有機ＥＬ等の表示装置が用いられる。なお、使用される表示装置に応じ、ＶＲＡＭ１７と画像表示部１００の間に、画素データをＤ／Ａ変換するＤ／Ａ変換部が設けられる。
【００４０】
これにより、撮影時のフレーミング時には、所定時間間隔で撮像された画素データが画像メモリ１６に記憶されると共に、ＣＰＵ４０で所定の信号処理後にＶＲＡＭ１７へ転送され、画像表示部１００に表示がおこなわれ、被写体像を確認することができ、ファインダとして使用できる（スルー画像表示又はプレビュー画像表示と称す）ようになっている。
【００４１】
また、複数の挿脱可能な画像記録用メモリカードＡ５０及びメモリカードＢ５１に記録された撮影済みの画像は、ＣＰＵ内のそれぞれのカードに対応したインターフェイスを介しＣＰＵ４０へ転送され、ＣＰＵ４０で所定の信号処理後にＶＲＡＭ１７へ転送され、画像表示部１００に表示がおこなわれ、再生が可能となっている。
【００４２】
インターフェイス３２は、外部のパーソナルコンピュータ或いはプリンタと信号の授受をおこなうもので、外部入出力端子（例えばＵＳＢ端子）８８を介して外部のパーソナルコンピュータ或いはプリンタへ送出したり、外部のパーソナルコンピュータ或いはプリンタよりデータを受け取ったりするものである。
【００４３】
フラッシュ制御回路２１は、フラッシュ発光部２２の発光を制御する回路である。フラッシュ制御回路２１は、ＣＰＵ４０により制御され、フラッシュ発光の有無、発光タイミング、発光用コンデンサへの充電等を制御すると共に、調光用センサ２３に接続された調光回路２４から入力される発光停止信号に基づき発光を停止させるようになっている。
【００４４】
時計回路２５は、撮影された日時を管理するものであり、各部へ電源を供給する給電回路２７から電源供給を受けて作動するようにしてもよいが、図示しない別電源で作動させることが望ましい。
【００４５】
ＣＰＵ４０及び各部への電力供給は給電回路２７によっておこなわれる。この給電回路２７には、電池２６或いは、ＤＣ入力端子２８を介しＡ／Ｃアダプタ２９から電力が供給される。
【００４６】
操作ＳＷ３０は、図１に示すレリーズ釦８３、ズーム釦９３、メニュー／セット釦９５等の各種操作釦によりＯＮ／ＯＦＦするスイッチ群である。この操作ＳＷ３０のＯＮ／ＯＦの信号は、ＣＰＵ４０に送られ、ＣＰＵ４０はＯＮされた操作ＳＷに応じて各部の動作を制御することになる。
【００４７】
ＥＥＰＲＯＭ３１は、不揮発性のメモリであり、カメラの個々に異なる特性値を記憶させておくために用いられる。この個々に異なる特性値とは、例えばズーム撮像光学系８１の各焦点距離におけるフォーカシングレンズの無限位置の情報等であり、製造工程内で書き込まれるものである。この、カメラ個々に異なる特性値を、ＣＰＵ４０は必要に応じＥＥＰＲＯＭ３１から読み出し、各部の制御に利用するようになっている。
【００４８】
なお、ＣＰＵ４０は、ＲＯＭ２０に格納されたソフトウェアに基づき、データの授受、各部のタイミング制御をおこなうのみならず、その他種々の機能をおこなうものとなっている。例えば、画像メモリ１６で得られた画素データに基づく撮影時の絞り値とシャッタ速度の露光条件の決定（ＡＥ機能）、フォーカシングレンズを小刻みに移動させ、それぞれで得られた画素データから画像データを生成し、この画像データに基づいて評価をおこない最適なフォーカシングレンズ位置の決定（ＡＦ機能）、メモリカードへ記録するために画素データから画像データを生成し圧縮する機能、メモリカードに記録された画像を画像表示部１００に表示するために、メモリカードに記録された画像データを、読み出し伸張する機能、以下に説明する画像データのバックアップの機能等を有するものである。
【００４９】
更に、本発明の削除指示手段、バックアップをおこなう制御手段は、このＣＰＵ４０が受け持っている。
【００５０】
なお、上述のメモリカードＡ５０及びメモリカードＢ５１は、例えば、同じ規格、形態、仕様のカード型のリムーバブルメモリでもよいし、異なる規格、形態、仕様のカード型リムーバブルメモリの組み合わせであってもよい。
【００５１】
以上が、本発明のデジタルカメラの内部構成である。
【００５２】
以下、本発明のカメラについてより詳しく説明する。なお、本発明のカメラは、静止画及び／又は動画撮影を行う撮影モード、撮影した画像を再生及び削除する再生モード、カメラ各機能の設定をおこなうセットアップモード、後述のバックアップした画像の復元及び削除モード、撮影後の画像を加工する画像加工モードを有している。
【００５３】
上述のように本発明のカメラは、複数のメモリカードＡ５０及びメモリカードＢ５１を有し、撮影モード時の、撮影された画像データを格納するメモリカードの設定と、このメモリカードに記録された画像を削除する際に、本発明に係るバックアップをおこなう設定或いはバックアップをおこなわない設定とするかを、セットアップモードでおこなうようになっている。
【００５４】
図３は、撮影モード時に撮影された画像データを格納するメモリカード設定の画面の例を示す図である。
【００５５】
同図に示すように、画像表示部１００（図２参照）に撮影画像記録メモリ設定ニューとして表示され、挿入されたメモリカードの種別と全容量及び空き容量がそれぞれ表示され、使用者はいずれかを撮影時の画像データを格納するメモリカードとして選択する。この選択は、図２に示す操作スイッチ群３０によりおこなわれる。以降は、この選択された撮影時の画像データを格納するメモリカードを主メモリと称し、選択されなかった方のメモリカードを副メモリと称し説明する。
【００５６】
なお、この主メモリの選択はデフォルトの設定としては、全容量の大きい方を選択するように設定されていることが好ましい。
【００５７】
図４は、本発明に係るバックアップをおこなうモード或いはバックアップをおこなわないモードとするかの選択画面の例を示した図である。
【００５８】
同図に示すように、画像表示部１００（図２参照）に削除画像バックアップモード設定ニューとして表示され、使用者は主メモリに記録された画像データを削除する際に、削除する画像データをバックアップするモードとバックアップしないモードのいずれかを選択する。この選択も、図２に示す操作スイッチ群３０によりおこなわれる。
【００５９】
なお、バックアップしないモードとは、例えば、従来よりおこなわれているものと同様の、削除したい画像を指定し、再度削除しても良いか使用者に確認した後、指定された画像をバックアップせずに削除する動作をおこなうモードである。
【００６０】
この、バックアップモードの使用の有無の選択はデフォルトの設定としては、バックアップするモードに設定されていることが好ましい。
【００６１】
以上のように、セットアップモードもしくはデフォルト設定で、主メモリ及び副メモリと、削除する画像データをバックアップするモードに設定された時の、撮影画像削除時の動作について説明する。
【００６２】
図５は、削除する画像データをバックアップするモードに設定された時の概略動作を示すフローチャートである。同図は、再生モードにおいて、画像削除をおこなうモードが選択された場合のフローを示している。以下、削除する画像データをバックアップするモード（削除画像バックアップモード）について、同図に従い説明する。
【００６３】
同図に示すように、再生モードにおいて、画像削除をおこなうモードが選択されると、削除画像バックアップモードとなり、バックアップ条件の設定を行い、入力された条件を読み込む（ステップＳ１０１）。
【００６４】
図６は、ステップＳ１０１における、バックアップ条件設定メニューの例を示す図である。同図（ａ）はバックアップ画像の圧縮率の設定例であり、同図（ｂ）はバックアップ画像をリサイズするか否かの設定例を示し、共に順次画像表示部１００（図２参照）に表示される。
【００６５】
同図（ａ）は、削除する画像データのバックアップ画像の圧縮率をどうするか表示内容のうちから使用者が選択するメニューである。選択肢としては、例えば図示のように、変更無し、より圧縮されたエコノミーへ変更、からいずれかを使用者が選択するよう構成されている。
【００６６】
なお、この圧縮率の設定については、削除する画像の撮影記録時の圧縮率を基準にして、より圧縮されるものから選択するように構成してもよい。例えば、スーパーファイン（最高画質）、ファイン（高画質）、スタンダード（標準）、エコノミー（やや低画質）の４種の圧縮率を選択できるカメラで、削除画像がスーパーファイン（最高画質）で記録されている場合、変更無しに加え、圧縮率変更の選択肢を、ファイン（高画質）、スタンダード（標準）、エコノミー（やや低画質）としてもよいし、スタンダード（標準）、エコノミー（やや低画質）としてもよい。
【００６７】
同図（ｂ）は、削除する画像データのバックアップ画像の画像サイズをリサイズするか否か、するならどのサイズにするかを使用者が選択するメニューである。選択肢としては、例えば図示のように、変更無し、１６００×１２００ドットの解像度に変更する、６４０×４８０ドットの解像度に変更する、からいずれかを使用者が選択するよう構成されている。
【００６８】
以上のようにしてステップＳ１０１では、バックアップ条件が設定される。
【００６９】
図５に戻り、画像削除するモードが解除されたか判断（ステップＳ１０２）し、解除されていなければ（ステップＳ１０２；Ｎｏ）、削除する画像が選択されるまで待機する（ステップＳ１０３）。このステップＳ１０３においては、主メモリに記録格納されている画像データを、サムネイル表示或いは１駒ずつ表示し、使用者が削除したい画像を選択するまで（ステップＳ１０３；Ｎｏ）、ステップＳ１０３とステップＳ１０２のフローを繰り返す。
【００７０】
ステップＳ１０３で使用者により削除したい画像が選択されると（ステップＳ１０３；Ｙｅｓ）、副メモリの空き容量が充分あるか判断する（ステップＳ１０４）。ここでは、削除する画像を、ステップＳ１０１で選択された圧縮率と解像度にした場合に必要なメモリ数を演算して、このメモリ数を格納する空き容量が副メモリに残っているかどうかを判断するものである。
【００７１】
副メモリ側に、空き容量が充分有れば（ステップＳ１０４；Ｙｅｓ）、削除する画像のバックアップ画像をステップＳ１０１で設定したバックアップ条件に基づいて作成する（ステップＳ１０５）。この後、副メモリにバックアップ画像を保存し（ステップＳ１０６）、主メモリの指定された画像を削除し（ステップＳ１０７）、Ｓ１０１へ戻る。
【００７２】
一方、ステップＳ１０４で、副メモリの空き容量が不足する場合（ステップＳ１０４；Ｎｏ）は、ステップＳ１１０へ移行し、画像削除を続行するかを使用者に確認する。使用者が、このまま画像削除の続行をしないと判断する（ステップＳ１１０；Ｎｏ）とステップＳ１０１へ戻り、再度バックアップ条件の設定からやり直し、よりメモリ容量を必要としない圧縮率及び解像度に設定を変更して、上述の動作を繰り返す。
【００７３】
ステップＳ１１０で、使用者が画像削除の続行をすると判断する（ステップＳ１１０；Ｙｅｓ）と、副メモリに記録したバックアップ画像ファイルのうち、最も古いバックアップ画像ファイルを削除する（ステップＳ１１１）。この後、再度副メモリの空き容量が充分となったか判断する（ステップＳ１１２）。ステップＳ１１２で空き容量が、まだ充分でないと判断される（ステップＳ１１２；Ｎｏ）と、ステップＳ１１１へ戻り、再度副メモリ内のバックアップ画像ファイルのうち、最も古いバックアップ画像ファイルを削除し、ステップＳ１１２で空き容量を確認する。即ち、バックアップ条件に基づく、必要容量が確保されるまで、副メモリ内のバックアップ画像ファイルが古い順に削除される。
【００７４】
副メモリの空き容量が充分と判断される（ステップＳ１１２；Ｙｅｓ）と、ステップＳ１０５へ移行し、削除する画像のバックアップ画像をステップＳ１０１で設定したバックアップ条件に基づいて作成する（ステップＳ１０５）。この後、副メモリにバックアップ画像を保存し（ステップＳ１０６）、主メモリの指定された画像を削除し（ステップＳ１０７）、Ｓ１０１へ戻る。
【００７５】
なお、図示しない操作スイッチ群により他モードへの移行が命令されると、ステップＳ１０２を通過する時点で判断され（ステップＳ１０２；Ｙｅｓ）、他のモードへ移行する（ステップＳ１２０）。
【００７６】
以上説明したように、主メモリ内の指定された画像は削除され、設定されたバックアップ条件に基づいて作成されたバックアップ画像ファイルが副メモリに保存されることになる。
【００７７】
図７は、削除する画像データをバックアップするモードに設定された時の概略動作の別の例を示すフローチャートである。同図は、図５に示すフローと共通の部分が多いため、同じ部分には同符号を付与して説明を省略し、異なる部分についてのみ説明する。
【００７８】
同図において、ステップＳ１０１〜ステップＳ１１０及びステップＳ１１０；Ｎｏについては、図５と同じである。
【００７９】
同図に示すように、ステップＳ１１０で、使用者が画像削除の続行をすると判断する（ステップＳ１１０；Ｙｅｓ）と、主メモリ側に設定されたバックアップ条件に基づいて作成されたバックアップ画像ファイルを格納可能な空き容量があるか判断する（ステップＳ１３１）。主メモリに空き容量があると判断される（ステップＳ１３１；Ｙｅｓ）と、Ｓ１３２へ移行し、削除する画像のバックアップ画像をステップＳ１０１で設定したバックアップ条件に基づいて作成する（ステップＳ１３２）。この後、主メモリにバックアップ画像を保存し（ステップＳ１３３）、主メモリの指定された画像を削除し（ステップＳ１０７）、Ｓ１０１へ戻る。
【００８０】
一方、主メモリに空き容量が無いと判断される（ステップＳ１３１；Ｎｏ）と、ステップＳ１１１及びステップＳ１１２で、上述と同様にバックアップ条件に基づく、必要容量が確保されるまで、副メモリ内のバックアップ画像ファイルが古い順に削除され、必要容量を確保した時点で、ステップＳ１０５へ移行する。
【００８１】
なお、ステップＳ１３３で、一時的に主メモリにバックアップ画像ファイルを保存したが、このバックアップ画像ファイルは副メモリに空きができ次第、移動させるように構成されるのが望ましい。
【００８２】
即ち、図７に示すフローは、副メモリに空き容量が無い場合に一時的に、主メモリにバックアップ画像ファイルを保存するものである。
【００８３】
図８は、削除する画像データをバックアップするモードに設定された時の概略動作のその他の例を示すフローチャートである。同図も、図５に示すフローと共通の部分が多いため、同じ部分には同符号を付与して説明を省略し、異なる部分についてのみ説明する。
【００８４】
同図において、ステップＳ１０１〜ステップＳ１１０及びステップＳ１１０；Ｎｏについては、図５と同じである。
【００８５】
同図に示すように、ステップＳ１１０で、使用者が画像削除の続行をすると判断する（ステップＳ１１０；Ｙｅｓ）と、バックアップ画像の作成をおこなわずに画像削除をおこなうか、副メモリ内に既にあるバックアップ画像ファイルを削除して空き容量を確保するかの選択肢を提示する（ステップＳ１４１）。この後、いずれかが選択されるまで待機する（ステップＳ１４２）。
【００８６】
ステップＳ１４２で、使用者が副メモリ内に既にあるバックアップ画像ファイルを削除して空き容量を確保する選択をした場合（ステップＳ１４２；Ｙｅｓ）は、ステップＳ１１１及びステップＳ１１２で、上述と同様にバックアップ条件に基づく、必要容量が確保されるまで、副メモリ内のバックアップ画像ファイルが古い順に削除され、必要容量を確保した時点で、ステップＳ１０５へ移行する。
【００８７】
一方、ステップＳ１４２で、使用者がバックアップ画像の作成を中止する判断をした場合（ステップＳ１４２；Ｙｅｓ）は、ステップＳ１０７へジャンプし、バックアップ画像の作成をせずに、主メモリの指定された画像を削除して、Ｓ１０１へ戻る。
【００８８】
即ち、図８に示すフローは、副メモリの空き容量が充分でないにも関わらず、使用者が動作の続行を指定したときは、バックアップ画像の作成をせずに画像削除をおこなうか、副メモリ内に既にあるバックアップ画像ファイルを削除して空き容量を確保するかの選択をおこない、この選択に基づいて、動作させるというものである。
【００８９】
なお、図５、図７、図８においては、副メモリ内のバックアップ画像ファイルを古い順に削除するよう構成したが、使用者に削除するバックアップ画像ファイルを選択させるよう構成してもよい。
【００９０】
次に、副メモリに保存されたバックアップ画像ファイルの、復元もしくは削除について、以下に説明する。
【００９１】
図９は、バックアップ画像ファイルの復元及び削除モードの概略動作を示すフローチャートである。このモードは再生モードに含まれるように構成してもよいが、独立したモードとして構成するのが好ましい。以下、同図に従い説明する。
【００９２】
同図において、まず、復元モードが選択されているか判断し（ステップＳ２０１）、復元モードであれば（ステップＳ２０１；Ｙｅｓ）、副メモリに保存されているバックアップ画像をサムネイル表示する（ステップＳ２０２）。次いで、復元する画像を使用者が選択するのを待機（ステップＳ２０３）し、選択されるまでは（ステップＳ２０３；Ｎｏ）ステップＳ２０１〜Ｓ２０３でループを描いて待機する。
【００９３】
復元する画像を使用者が選択すると（ステップＳ２０３；Ｙｅｓ）、主メモリの空き容量が、復元する画像データを格納するに充分か判断する（ステップＳ２０４）。主メモリ側に復元する画像データを格納する空き容量があれば（ステップＳ２０４；Ｙｅｓ）、選択されたバックアップ画像データファイルを、副メモリから画像データファイルとして主メモリへ移動させ（ステップＳ２０５）、ステップＳ２０１へ戻る。
【００９４】
また、主メモリ側に復元する画像データを格納する空き容量が無い場合（ステップＳ２０４；Ｎｏ）は、選択されたバックアップ画像データファイルを、一時的に副メモリ内に保存用フォルダを作成して画像データファイルとして保存する（ステップＳ２０６）。この副メモリ内に保存された復元画像データファイルは、主メモリに空き容量ができ次第、主メモリに移動させるようにする。この後、ステップＳ２０１へ戻る。
【００９５】
以上がバックアップ画像ファイルの復元に関する動作である。これにより、誤操作による撮影した画像データの削除、或いは、画像データ削除後に急遽必要になった画像を復元することが、カメラ単体で容易に可能とすることができる。
【００９６】
一方、ステップＳ２０１で復元モードが選択されていない場合（ステップＳ２０１；Ｎｏ）は、バックアップ画像の削除モードか判断する（ステップＳ２１１）。
【００９７】
バックアップ画像の削除モードが選択されていない場合（ステップＳ２１１；Ｎｏ）は、他のモードに移行する（ステップＳ２２０）。バックアップ画像の削除モードが選択されている場合（ステップＳ２１１；Ｙｅｓ）は、副メモリに保存されているバックアップ画像をサムネイル表示する（ステップＳ２１２）。
【００９８】
次いで、削除するバックアップ画像を使用者が選択するのを待機（ステップＳ２１３）し、選択されるまでは（ステップＳ２１３；Ｎｏ）ステップＳ２１１〜Ｓ２１３でループを描いて待機する。削除するバックアップ画像を使用者が選択すると（ステップＳ２１３；Ｙｅｓ）、この選択されたバックアップ画像を副メモリから削除する。
【００９９】
以上が、副メモリに保存されたバックアップ画像の復元及び削除の動作である。
【０１００】
以上説明したように、主メモリ内の指定された画像を削除した後も、設定されたバックアップ条件に基づいて作成されたバックアップ画像ファイルが副メモリに保存され、この副メモリに保存されているバックアップ画像を復元することができ、画像選択を誤ったり、誤操作等で画像データを削除しても、この削除した画像データの復元の可能なカメラを得ることができる。
【０１０１】
更に、メモリカードは大容量化が進んでいるが、かつて市販されていた少容量のメモリカードであっても、副メモリとしてなら有効に利用できるという効果も奏する。
【０１０２】
なお、バックアップ画像を作成して保存する際には、バックアップ条件選択で圧縮率を変更したり、画像サイズを変更した場合には、バックアップ画像ファイル名には、この情報を付加したファイル名とすることが望ましい。例えば、ファイル名ｐｉｃ０００１．ｊｐｇのオリジナル画像の画像サイズを変更してバックアップした場合には、バックアップ画像のファイル名を例えばｐｉｃ０００１ｒｓｚ．ｊｐｇとして、変更したこと及び変更内容が区別できるようにする。またこの変更についての情報は、ｅｘｉｆタグにも追加されることが望ましい。
【０１０３】
次に、撮影記録された画像を加工する、画像加工モードについて説明する。この画像加工モードは、カメラ機能である他の各種のモードと並列の、独立したモードであることが好ましい。
【０１０４】
図１０は、本発明に係る画像加工モードの概略動作を示すフローチャートである。以下、同図に従い説明する。
【０１０５】
同図において、まず、画像加工モードが選択されているか判断する（ステップＳ３０１）。画像加工モードが選択されていない場合（ステップＳ３０１；Ｎｏ）は、他のモードに移行する（ステップＳ３２０）、画像加工モードであれば（ステップＳ３０１；Ｙｅｓ）、主メモリに保存されている撮影された画像をサムネイル表示する（ステップＳ３０２）。次いで、画像加工する画像を使用者が選択するのを待機（ステップＳ３０３）し、選択されない間（ステップＳ３０３；Ｎｏ）は、ステップＳ３０１〜Ｓ３０３でループを描いて待機する。
【０１０６】
画像加工する画像を使用者が選択する（ステップＳ３０３；Ｙｅｓ）と、加工可能な画像加工方法の選択肢を提示する（ステップＳ３０４）。この選択肢には、トリミング、画像の明るさの変更、色バランスの変更等が提示される。この提示された内容から、使用者は加工する方法を選択する。この加工方法の選択は、ラジオボタン等の入力方法が用いられる。
【０１０７】
使用者が加工する方法を選択すると、トリミングが選択されたか否かを判断する（ステップＳ３０５）。トリミングが選択された場合（ステップＳ３０５；Ｙｅｓ）は、加工作業に移行し、主メモリに記録されている加工のために選択した画像（以下、元画像と称す）を表示して、この元画像から画像の切り取り等の加工作業をおこなう（ステップＳ３０６）。加工作業が終了すると、トリミングされた後の画像データを元画像と共に、主メモリに保存する（ステップＳ３０７）。
【０１０８】
次いで、副メモリ側に元画像からトリミングした画像を差し引いた画像（以下、差分画像と称す）を格納する空き容量があるか判断する（ステップＳ３０８）。副メモリに空き容量がある場合（ステップＳ３０８；Ｙｅｓ）は、副メモリに差分画像を保存し（ステップＳ３０９）、主メモリの元画像を削除し（ステップＳ３１０）、Ｓ３０１へ戻る。
【０１０９】
図１１は、元画像、トリミング画像、差分画像の関係を示す模式図である。同図（ａ）は元画像を示し、同図（ｂ）は元画像からトリミングしたトリミング画像を示し、同図（ｃ）は差分画像を示している。
【０１１０】
図１１に示すように、差分画像は元画像から、トリミング画像部分を切り取ったあとの画像部分であり、図１０に示すフローのステップＳ３１０が終了した時点では、主メモリに図１１（ｂ）に示すトリミング画像が保存され、副メモリに図１１（ｃ）に示す差分画像が保存されている。
【０１１１】
このようにすることで、加工後でも、主メモリのトリミング画像と、副メモリの差分画像より、元画像を復元するためのデータ保存が可能となる。
【０１１２】
図１０に戻り、ステップＳ３０８で副メモリに差分画像を格納する空き容量がない場合（ステップＳ３０８；Ｎｏ）は、主メモリの元画像を削除（ステップＳ３１１）し、ステップＳ３０１へ戻る。
【０１１３】
一方、ステップＳ３０５で、トリミング以外の画像加工方法が選択された場合（ステップＳ３０５；Ｎｏ）は、副メモリに元画像を格納する空き容量があるか判断する（ステップＳ３１２）。
【０１１４】
副メモリに元画像を格納する空き容量がある場合（ステップＳ３１２；Ｙｅｓ）は、副メモリに元画像を複写して保存（ステップＳ３１３）した後、使用者は元画像を選択した加工方法で加工する（ステップＳ３１４）。この加工後の画像データを、主メモリに上書き保存する（ステップＳ３１５）。この後、ステップＳ３０１へ戻る。
【０１１５】
なお、主メモリの加工後の画像と副メモリの加工前の元画像は、画像表示部に同時に表示可能としてあることが望ましく、例えば、マルチウィンドウ、スクロール、画面半分ずつに表示する等の画面表示が可能なことが望ましい。
【０１１６】
一方、ステップＳ３１２で、副メモリに元画像を格納する空き容量が無い場合（ステップＳ３１２；Ｎｏ）は、副メモリに元画像を格納する空き容量が無いことを表示し、画像加工を中止するか否かを、使用者に判断させる（ステップＳ３１６）。使用者が画像加工を中止すると判断した場合（ステップＳ３１６；Ｙｅｓ）は、ステップＳ３０１へ戻る。      
【０１１７】
使用者が画像加工を続行すると判断した場合（ステップＳ３１６；Ｎｏ）は、使用者は元画像を選択した加工方法で加工（ステップＳ３１４）し、この加工後の画像データを、主メモリに上書き保存する（ステップＳ３１５）。この後、ステップＳ３０１へ戻る。
【０１１８】
以上が、画像加工モードの概略動作である。
【０１１９】
即ち、画像加工方法が、元画像の一部に関するものである場合は、主メモリに加工後の画像データを記録し、副メモリに差分画像を保存しておき、この双方の画像データから元画像を再現することが可能となる。
【０１２０】
また、画像加工方法が、画像の明るさの変更、色バランスの変更等の画面全体に関するものである場合は、加工後でも、副メモリの元画像に戻したい場合や、主メモリの加工後の画像と副メモリの元画像を比較して、どちらか一方もしくは両方を残すことができるようになる。
【０１２１】
この画像加工モードにおける、主メモリ及び副メモリの設定は、上述の撮影モード時に撮影された画像データを格納するメモリカードの設定に準じて設定してもよいし、別に画像加工モード時にも、新たに主メモリ及び副メモリを設定するようにしてもよい。
【０１２２】
なお、上述の説明における表示や選択肢の提示等は、カメラに備えられた画像表示部１００（図２参照）でおこなうように構成されているものである。
【０１２３】
また、実施の形態においては、複数のメモリカードを備えたカメラで説明したが、これに限るものでなく、例えばカメラに内蔵されたＮＡＮＤ型フラッシュメモリと挿脱可能なメモリカードで構成されたカメラでも適用可能であり、本発明を逸脱するものでない。
【図面の簡単な説明】
【０１２４】
【図１】本発明に係るデジタルカメラの外観の一例を示す図である。
【図２】図１に示すデジタルカメラの内部構成を示す概略ブロック図である。
【図３】撮影モード時に撮影された画像データを格納するメモリカード設定の画面の例を示す図である。
【図４】本発明に係るバックアップをおこなうモード或いはバックアップをおこなわないモードとするかの選択画面の例を示した図である。
【図５】削除する画像データをバックアップするモードに設定された時の概略動作を示すフローチャートである。
【図６】ステップＳ１０１における、バックアップ条件設定メニューの例を示す図である。
【図７】削除する画像データをバックアップするモードに設定された時の概略動作の別の例を示すフローチャートである。
【図８】削除する画像データをバックアップするモードに設定された時の概略動作のその他の例を示すフローチャートである。
【図９】バックアップ画像ファイルの復元及び削除モードの概略動作を示すフローチャートである。
【図１０】本発明に係る画像加工モードの概略動作を示すフローチャートである。
【図１１】元画像、トリミング画像、差分画像の関係を示す模式図である。
【符号の説明】
【０１２５】
１  レンズ部
２  絞りシャッターユニット
３  光学フィルタ
１３  撮像回路
１４  信号処理部
１５  画像処理部
１６  画像メモリ
１７  ＶＲＡＭ
２０  ＲＯＭ
３０  操作スイッチ群
３１  ＥＥＰＲＯＭ
４０  ＣＰＵ
５０  メモリカードＡ
５１  メモリカードＢ
８１  ズーム撮像光学系
１００  画像表示部
【図１】
2005311493.tif 000003
【図２】
2005311493.tif 000004
【図３】
2005311493.tif 000005
【図４】
2005311493.tif 000006
【図５】
2005311493.tif 000007
【図６】
2005311493.tif 000008
【図７】
2005311493.tif 000009
【図８】
2005311493.tif 000010
【図９】
2005311493.tif 000011
【図１０】
2005311493.tif 000012
【図１１】
2005311493.tif 000013